(57)【要約】      （修正有）【課題】一人でも、片手でも、ものの長さを測定できる吸盤付きの固定式伸縮巻尺を提供する。【解決手段】伸縮巻尺のケーシングと、伸縮巻尺ケーシング内に設置された伸縮巻尺３０とが、備えられる吸盤付きの固定式伸縮巻尺１００であって、伸縮巻尺ケーシングに、上ふた１２と下ふた１４及び出口１６があり、下ふたの底部に、収納室があり、収納室内に、連結装置２０が設けられ、連結装置に、可動的に連結された捩り装置と吸盤がある。吸盤と上ふた及び下ふたとが、同一水平面に位置し、伸縮巻尺に、目盛り面があり、吸盤と伸縮巻尺の目盛り面とが、同一水平面になり、目盛り面が、上ふたに対向する一面である。固定式伸縮巻尺によれば、吸盤を利用して、伸縮巻尺全体が、ガラスや光滑卓面に固定され、ユーザーが片手だけで、伸縮巻尺を操作できる。【選択図】図２
0003194517.tif 000002
【実用新案登録請求の範囲】
【請求項１】
伸縮巻尺のケーシングと、上記伸縮巻尺ケーシング内に設置された伸縮巻尺とが、備えられる吸盤付きの固定式伸縮巻尺であって、上記伸縮巻尺ケーシングに、上ふたと下ふた及び出口があり、上記下ふたの底部に、内部へ凹む収納室があり、上記収納室内に、連結装置が設けられ、上記連結装置に、可動的に連結された捩り装置と吸盤があり、上記捩り装置に、可動連結雄部材が設置され、上記吸盤の中央に、可動連結雌部材が設置され、上記収納室に、係止槽があり、上記捩り装置が、上記係止槽に係止されて、上記係止槽内において、回転でき、上記可動連結雄部材と上記可動連結雌部材が係合されることにより、上記吸盤が、上記捩り装置に連結され、上記吸盤と上記上ふた及び下ふたとが、同一水平面に位置し、上記伸縮巻尺に、目盛り面があり、上記吸盤と上記伸縮巻尺の目盛り面とが、同一水平面になり、上記目盛り面が、上記上ふたに対向する一面である、ことを特徴とする吸盤付きの固定式伸縮巻尺。
【請求項２】
上記捩り装置は、更に、係止シートと固定シートがあり、上記係止シートの中央に、Ｔ形状円貫通穴があり、上記固定シートの中央に、上記可動連結雄部材の断面形状に対応した貫通穴があり、上記可動連結雄部材の一端に、上記Ｔ形状円貫通穴に対応してストッパーが固定され、上記可動連結雄部材のもう一端が、順に、上記Ｔ形状円貫通穴に貫通して、上記貫通穴が、上記可動連結雌部材と係合して連結することを特徴とする請求項１に記載の吸盤付きの固定式伸縮巻尺。
【請求項３】
上記係止シートの縁に、係合シートがあり、上記係合シートが、上記係止槽内に係合されて、上記捩り装置と上記下ふたとが連結されることを特徴とする請求項２に記載の吸盤付きの固定式伸縮巻尺。
【請求項４】
上記係止シートに、更に、若干の係合槽があり、上記固定シートに、上記係合槽に対応した係合槽体が設置され、上記係合槽体が、上記係合槽に係合されることにより、上記固定シートと上記係止シートとが、係合されて連結されることを特徴とする請求項２に記載の吸盤付きの固定式伸縮巻尺。
【請求項５】
上記吸盤と上記固定シートとが、それぞれ、円形状シートで、上記吸盤の直径が、上記固定シートの直径よりも大きいことを特徴とする請求項２に記載の吸盤付きの固定式伸縮巻尺。
【請求項６】
上記固定シートと上記吸盤との接触面の縁に、一周の突起が形成され、上記固定シートと上記吸盤との間に、隙間が形成されることを特徴とする請求項５に記載の吸盤付きの固定式伸縮巻尺。
【請求項７】
上記吸盤の縁に、位置制限部があり、上記位置制限部が、上記吸盤の縁から上ふたへ向かって伸びた円弧シートであることを特徴とする請求項１に記載の吸盤付きの固定式伸縮巻尺。
【請求項８】
上記伸縮巻尺の一端が、上記伸縮巻尺ケーシング内に設置され、もう一端が、上記伸縮巻尺ケーシングの出口を通し、上記一端の端部に、突出部があり、上記伸縮巻尺が、便利に引き出されることを特徴とする請求項１に記載の吸盤付きの固定式伸縮巻尺。
【請求項９】
上記吸盤の厚さが、２．２ミリメートルであることを特徴とする請求項１に記載の吸盤付きの固定式伸縮巻尺。
【考案の詳細な説明】
【技術分野】
【０００１】
本考案は、伸縮巻尺に関し、特に、吸盤付きの固定式伸縮巻尺に関する。
【背景技術】
【０００２】
巻尺は、人にとって、常用された測定ツールの一つであり、その用途が幅広い。
【０００３】
しかし、従来の巻尺は、色んな欠点があり、その一つが、固定し難いことである。比較的なものを測定する時、一人でやり難くなり、その時、他の人の助けを必要として、助けれくれる人がいないと、正確に測定することができなく、不便である。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、便利的に、一人でも、片手でも、ものの長さを測定できる吸盤付きの固定式伸縮巻尺を提供する。
【課題を解決するための手段】
【０００６】
上記問題を解消するために、伸縮巻尺ケーシングと上記伸縮巻尺ケーシング内に設置された伸縮巻尺、が備えられる吸盤付きの固定式伸縮巻尺が提供され、上記伸縮巻尺ケーシングは、上ふたと下ふた及び出口があり、上記下ふたの底部に、内部へ凹む収納室があり、上記収納室内に、連結装置が設けられ、上記連結装置に、可動的に連結された捩り装置と吸盤があり、上記捩り装置に、可動連結雄部材が設置され、上記吸盤の中央に、可動連結雌部材が設置され、上記収納室に、係止槽があり、上記捩り装置が、上記係止槽に係止されて、上記係止槽内において、回転でき、上記可動連結雄部材と上記可動連結雌部材が係合されることにより、上記吸盤が、上記捩り装置に連結され、上記吸盤と上記上ふた及び下ふたが、同一水平面に位置し、上記伸縮巻尺に、目盛り面があり、上記吸盤と、上記伸縮巻尺の目盛り面とが、同一水平面になり、上記目盛り面が、上記上ふたに対向する一面である。
【０００７】
上記捩り装置は、係止シートと固定シートがあり、上記係止シートの中央に、Ｔ形状円貫通穴があり、上記固定シートの中央に、上記可動連結雄部材の断面形状に対応した貫通穴があり、上記可動連結雄部材の一端に、上記Ｔ形状円貫通穴に対応してストッパーが固定され、上記可動連結雄部材のもう一端が、順に、上記Ｔ形状円貫通穴に貫通して、上記貫通穴が、上記可動連結雌部材と係合して連結する。
【０００８】
上記係止シートの縁に、係合シートがあり、上記係合シートが、上記係止槽内に係合されて、上記捩り装置と上記下ふたとが連結される。
【０００９】
上記係止シートに、更に、若干の係合槽があり、上記固定シートに、上記係合槽に対応した係合槽体が設置され、上記係合槽体が、上記係合槽に係合されることにより、上記固定シートと上記係止シートとが、係合されて連結される。
【００１０】
上記吸盤と上記固定シートとが、それぞれ、円形状シートで、上記吸盤の直径が、上記固定シートの直径よりも大きい。
【００１１】
上記固定シートと上記吸盤との接触面の縁に、一周の突起が形成され、上記固定シートと上記吸盤との間に、隙間が形成される。
【００１２】
上記吸盤の縁に、位置制限部があり、上記位置制限部が、上記吸盤の縁から上ふたへ向かって伸びた円弧シートである。
【００１３】
上記吸盤と上記伸縮巻尺とが、同一水平面になり、上記伸縮巻尺の目盛り面が、上記上ふたの同じ一端の一面に形成される。
【００１４】
上記伸縮巻尺の一端が、上記伸縮巻尺ケーシング内に設置され、もう一端が、上記伸縮巻尺ケーシングの出口を通し、上記一端の端部に、突出部があり、上記伸縮巻尺が、便利に引き出され、上記吸盤の厚さが、２．２ミリメートルである。
【００１５】
上記の吸盤付きの固定式伸縮巻尺は、下ふたに吸盤が設置されたことにより、簡単に、伸縮巻尺全体をものの表面に固定され、ユーザーが、一人だけで、測定でき、また、それは、吸盤自身の形状を変化させ、吸盤内部の空気を排出させて付着させることが実現される。吸盤が、平面吸盤でも良いし、曲面吸盤でもよく、伸縮巻尺を使用する時、伸縮巻尺を回転するだけで、簡単に、伸縮巻尺を平滑面に固定でき、吸盤を利用して、伸縮巻尺が、ガラスや卓面、ステンレス板材或いは表面塗料吹き等の光滑物体表面に固定され、ユーザーが、片手でも、伸縮巻尺を操作できる。
【００１６】
上記吸盤と上記上ふた及び下ふたは、同一水平面になり、上記伸縮巻尺は、目盛り面があり、上記吸盤と上記伸縮巻尺の目盛り面とが、同一水平面になり、これにより、より便利的に、測定でき、また、データを、簡単に読め、吸盤と上記伸縮巻尺の目盛り面とが、同一水平面になるため、測定する時、吸盤がものの表面に吸着するから、測定が、より安定的に行われ、測定誤差を解消でき、また、固定式伸縮巻尺の外観もより美しくなる。
【００１７】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１８】
図１乃至図３のように、本考案の実施例の吸盤付きの固定式伸縮巻尺１００であり、伸縮巻尺ケーシングと、上記伸縮巻尺ケーシング内に設置された伸縮巻尺３０とが、備えられ、上記伸縮巻尺ケーシングは、上ふた１２と下ふた１４及び出口１６があり、上記下ふた１４の底部に、内部へ凹む収納室１４２があり、上記収納室１４２内に、連結装置２０が設けられ、上記連結装置２０に、可動的に連結された捩り装置２２と吸盤２４があり、上記捩り装置２２に、可動連結雄部材２２２が設置され、上記吸盤の中央に、可動連結雌部材２４２が設置され、上記収納室１４２に、係止槽１４２２があり、上記捩り装置２２が、上記係止槽２２１２に係止されて、上記係止槽２２１２内において、回転でき、上記可動連結雄部材２２２と上記可動連結雌部材２４２とが係合されることにより、上記吸盤２４が、上記捩り装置２２に連結され、上記吸盤２４と上記上ふた１２及び下ふた１４が、同一水平面に位置し、上記伸縮巻尺３０に、目盛り面があり、上記吸盤２４と上記伸縮巻尺３０の目盛り面とが、同一水平面になり、上記目盛り面が、上記上ふた１２に対向する一面である。上記捩り装置２２が、上記係止槽１４２２内において回転できることにより、下ふたに位置した吸盤２４を利用して、簡単に、固定式伸縮巻尺１００全体を、物体の表面に固定でき、ユーザーが、一人でも、測定することができる。
【００１９】
図３乃至図６のように、上記捩り装置２２は、更に、係止シート２２１と固定シート２２３とがあり、上記係止シート２２１の中央に、Ｔ形状円貫通穴２２１３があり、上記固定シート２２３の中央に、上記可動連結雄部材２２２の断面形状に対応した貫通穴２２３５があり、上記可動連結雄部材２２２の一端に、上記Ｔ形状円貫通穴２２１３に対応したストッパー２２２２が固定され、上記可動連結雄部材２２２のもう一端が、順に、上記Ｔ形状円貫通穴２２１３に貫通して、上記貫通穴２２３５が、上記可動連結雌部材２４２と係合して連結し、上記可動連結雄部材２２２を上記Ｔ形状円貫通穴２２１３に貫通する時、上記ストッパー２２２２が、上記Ｔ形状円貫通穴２２１３に合わせて、上記Ｔ形状円貫通穴２２１３によって、上記ストッパー２２２２が行きとめられ、上記貫通穴２２３５の外形が、上記可動連結雄部材２２２の断面形状に対応し、上記可動連結雄部材２２２と上記貫通穴２２３５とが、緊密に密着し、上記固定式伸縮巻尺１００が回転される時、上記可動連結雄部材２２２と貫通穴２２３５とが緊密に密着されることにより、捩り力が生成されて、上記固定シートが、回転するように連動される。
【００２０】
上記係止シート２２１の縁に、係合シート２２１１があり、上記係合シート２２１１が、上記係止槽１４２２内に係合されて、上記捩り装置２２と上記下ふた１４とが連結され、上記係止シート２２１に、更に、若干の係合槽２２１２があり、上記固定シート２２３に、上記係合槽２２１２に対応した係合槽体２２３１が設置され、上記係合槽体２２３１が、上記係合槽２２１２に係合されることにより、上記固定シート２２３と上記係止シート２２１とが、係合されて連結され、係合シート２２１１が、上記係止槽１４２２内に係合されることにより、上記係合槽体２２３１が、上記係合槽２２１２に係合されて、上記係止シート２２１と固定シート２２３とが、より緊密に密着される。
【００２１】
上記吸盤２４と上記固定シート２２３とは、それぞれ、円形状シートであり、上記吸盤２４の直径が、上記固定シート２２３の直径よりも大きく、上記固定シート２２３と上記吸盤２４との接触面の縁に、一周の突起２２３３が形成され、上記固定シート２２３と上記吸盤２４との間に、隙間が形成され、一周の突起２２３３により、上記固定シート２２３と上記吸盤２４とが、直接に接触しなくて、上記固定シート２２３と上記吸盤２４との摩擦力が低下され、固定伸縮巻尺１００が回転される時、上記吸盤２４が、回転するように連動されて、上記吸盤２４がひずみすることに、有利である。
【００２２】
上記吸盤２４の縁に、位置制限部２４４があり、上記位置制限部２４４が、上記吸盤２４の縁から上ふたへ向かって伸びた円弧シートであり、上記円弧シートにより、上記固定伸縮巻尺１００が所定の範囲内において回転するように、制限される。
【００２３】
上記吸盤２４の材質は、ゴムやプラスチックである。ゴムは、例えば、ＮＲ（Natural Rubber）やＮＢＲ(Nitrile-Butadience Rubber)、ＦＫＭ(Fluorocarbon Rubber)、ＰＵＲ(Polyurethane Rubber)、ＥＰＤＭ(Ethylene Propylene Diene Monomer)或いはＳI(Silicone rubber)である。上記吸盤２４の形状は、円形状吸盤でもいいし、扁平吸盤や楕円吸盤、ウェブ状吸盤或いは格別な形状の吸盤でもよく、ウェブ状吸盤であれば、更に、単一ウェブ状吸盤と多ウェブ状吸盤とに、細分されることができる。
【００２４】
上記伸縮巻尺３０は、一端が、上記伸縮巻尺ケーシング内に設置され、もう一端が、上記伸縮巻尺ケーシングの出口１６を通し、上記一端の端部に、突出部３２があり、これにより、上記伸縮巻尺３０が、便利的に引き出される。
【００２５】
上記吸盤の厚さは、２．２ミリメートルである。
【００２６】
上記の吸盤付きの固定式伸縮巻尺は、上ふたに位置した連結装置により、伸縮巻尺全体が、簡単に、物体の表面に固定され、ユーザーが、一人だけで測定できる。本考案に係る吸盤は、平面吸盤或いは曲面吸盤であり、幅広く、ガラスや卓面、ステンレス板材及び表面塗料吹き等の光滑物体の表面に適用できる。
【００２７】
伸縮巻尺を使用する時、伸縮巻尺を回転することだけで、簡単に、伸縮巻尺を平滑面に固定でき、吸盤を利用して、伸縮巻尺が、ガラスや光滑卓面に固定され、ユーザーが、片手で伸縮巻尺を操作でき、上記吸盤と上記上ふた及び下ふたが、同一水平面になり、上記伸縮巻尺に、目盛り面があり、上記吸盤と上記伸縮巻尺の目盛り面とが、同一水平面になるため、測定する時、より便利的にデータを読むことでき、また、吸盤と上記伸縮巻尺の目盛り面とが、同一水平面になるため、測定する時、吸盤が、物件の表面に吸着して、測定する場合、より安定的になり、測定誤差を解消でき、また、固定式伸縮巻尺全体の外観が、より美しくなる。
【００２８】
そのため、本考案は、より進歩的かつより実用的で、法に従って実用新案登録請求を出願する。
【００２９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００３０】
【図１】本考案に係る吸盤付きの固定式伸縮巻尺の全体構成図
【図２】本考案に係る吸盤付きの固定式伸縮巻尺の分解図
【図３】本考案に係る吸盤付きの固定式伸縮巻尺の他の視角からの分解図
【図４】本考案に係る吸盤付きの固定式伸縮巻尺の連結装置の分解図
【図５】本考案に係る吸盤付きの固定式伸縮巻尺の連結装置の他の視角の分解図
【図６】本考案に係る吸盤付きの固定式伸縮巻尺の固定シートと吸盤の構成概念図
【符号の説明】
【００３１】
１００      固定式伸縮巻尺
１２        上ふた    
１４        下ふた
１４２      収納室
１４２２    係止槽    
１６        出口
２０        連結装置    
２２        捩り装置      
２２１      係止シート      
２２１１    係合シート  
２２１２    係合槽    
２２１３    Ｔ形状円貫通穴    
２２２      可動連結雄部材    
２２２２    ストッパー      
２２３      固定シート    
２２３１    係合槽体      
２２３３    突起    
２２３５    貫通穴        
２４        吸盤    
２４２      可動連結雌部材    
２４４      位置制限部    
３０        伸縮巻尺    
３２        突出部
【図１】
0003194517.tif 000003
【図２】
0003194517.tif 000004
【図３】
0003194517.tif 000005
【図４】
0003194517.tif 000006
【図５】
0003194517.tif 000007
【図６】
0003194517.tif 000008